(57)【要約】【課題】シートを搬送する際、シートのシート搬送路への衝突による騒音を低減することのできる画像形成装置を提供する。【解決手段】シート積載部１１０と湾曲したシート搬送路Ｒとの間に案内部材５０を設け、シート積載部１１０から送り出されたシートＳをシート搬送路Ｒに案内する。そして、案内部材５０のシート搬送方向下流側端部を、シート搬送路Ｒの搬送面との段差がシート搬送方向と直交する幅方向において徐々に小さくなるように構成する。【選択図】図１
2008137792.tif 000002
【特許請求の範囲】
【請求項１】
シートを搬送する湾曲したシート搬送路を備えた画像形成装置において、
前記シート搬送路の上流側に設けられ、搬送されるシートを前記シート搬送路に案内する案内部材を備え、
前記案内部材のシート搬送方向下流側端部を、前記シート搬送路の搬送面との段差がシート搬送方向と直交する幅方向において徐々に小さくなるように構成したことを特徴とする画像形成装置。
【請求項２】
前記案内部材のシート案内面を、シート搬送方向に対してねじるように構成したことを特徴とする画像形成装置。
【請求項３】
前記案内部材のシート案内面をシート搬送方向下流側端部に幅方向に傾斜した傾斜部としたことを特徴とする請求項１記載の画像形成装置。
【請求項４】
前記案内部材のシート搬送方向下流側端部に幅方向に傾斜した傾斜面を設けたことを特徴とする請求項１記載の画像形成装置。
【請求項５】
前記案内部材のシート搬送方向下流側端部に面取りを施したことを特徴とする請求項１ないし４のいずれか１項に記載の画像形成装置。
【請求項６】
前記案内部材のシート案内面にシート搬送方向に沿って複数のリブを並設し、前記複数のリブのシート搬送方向下流側における高さを段階的に変化させたことを特徴とする請求項１記載の画像形成装置。
【請求項７】
前記複数のリブの高さは、シート搬送方向において滑らかに変化させていることを特徴とする請求項６記載の画像形成装置。
【請求項８】
前記複数のリブのシート搬送方向下流側端部に面取りを施したことを特徴とする請求項６または７記載の画像形成装置。
【請求項９】
前記案内部材の上流に設けられ、シート積載部から送り出されたシートを分離する分離パッドを支持し、かつ前記分離パッドにより分離されたシートを案内するシート搬送面を備えたパッド台を備えたことを特徴とする請求項１ないし８のいずれか１項に記載の画像形成装置。
【発明の詳細な説明】
【技術分野】
【０００１】
本発明は、画像形成装置に関し、特にシート搬送時の騒音防止に関するものである。
【背景技術】
【０００２】
従来、電子写真方式、インクジェット方式等の画像形成プロセスを採用したプリンタ、ファクシミリ、複写機等の画像形成装置がある。このような画像形成装置においては、給紙カセットに収納された転写紙、感光紙、感熱紙、静電シート、印刷紙、原稿、カード、封筒、葉書等の枚葉紙（以下、シートという）を給送ローラにより送り出した後、画像形成部に搬送するシート搬送装置を備えている。
【０００３】
このようなシート搬送装置としては、画像形成装置の小型化及び設置面積の低減のため、例えば給送ローラにより給紙カセットから送り出されたシートを、湾曲したシート搬送路により湾曲させて画像形成部に向かわせるようにしたものがある。このシート搬送路の上流には、給紙カセットから送り出されたシートをシート搬送路に受け渡すための案内部材が設けられているが、ジャム処理やメンテナンス等のためにシート搬送路と案内部材とは、通常別々に設けられている。
【０００４】
このような構成のシート搬送装置及び画像形成装置において、シート搬送路によりシートが反転搬送させられている状態で給紙カセットからシートの後端が抜けると、シートは、その剛性及びシートの重量（位置エネルギーの差）により弾けるような挙動を示す。
【０００５】
図１２は、このようなシートの挙動を説明する図である。なお、図１２において、Ｒはシート搬送路、１５０は不図示の給紙カセットのシート搬送方向下流側に設けられ、給紙カセットから送り出されたシートをシート搬送路Ｒに案内する案内部材、１４０はシート搬送路Ｒの上流側に設けられたガイド板である。
【０００６】
給紙カセットから送り出されたシートＳは、案内部材１５０を通過し、図１２の（ａ）に示すように、シート搬送路Ｒに向かう。この後、シートＳが反転搬送させられている状態で給紙カセットからシートＳの後端が抜けると、シートＳの剛性により後端部が案内部材１５０に激突し、このとき騒音が発生する。
【０００７】
また、シートＳが更に搬送され、図１２の（ｂ）に示すようにシートの後端が案内部材１５０の端部に達し、この後、案内部材１５０を抜けると、図１２の（ｃ）に示すように後端部がガイド板１４０に激突し、このときにも騒音が発生する。つまり、給紙カセットから送り出されたシートＳは、給紙カセットから後端が抜けた後、後端部が案内部材１５０及びガイド板１４０に順次衝突して騒音が発生する。
【０００８】
この騒音は、シート搬送路Ｒの湾曲部の曲率が大きいほど、シート後端がはじかれるまでに蓄えられる歪エネルギーが大きくなるため、大きくなる。このため、近年の複写機やプリンタの小型化及び高速印刷化に伴い、この騒音が大きな問題となってくる。
【０００９】
そこで、この騒音を低減するため、従来は、例えば案内部材に上流側が固定され、下流側が厚さ方向に弾性的に屈撓可能であり、さらに下流側端には折り返された屈曲片が形成されている弾性薄板を備えたものがある（例えば、特許文献１参照）。そして、この弾性薄板によって歪エネルギーを吸収することにより、シート後端の挙動を抑えるようにしている。
【００１０】
また、従来のシート搬送装置においては、給紙カセットから送り出されたシートＳを１枚ずつ分離するための分離パッドと、分離パッドを給送ローラに圧接させるためのパッド台を備えたものがある。
【００１１】
このようなシート搬送装置では、パッド台の下流側の端縁にシート搬送方向と直交する方向（以下、幅方向という）において傾斜した突設部を設けて搬送されるシートの後端が幅方向において一度にはじかれるのを防ぐようにしたものがある。そして、このようにシートの後端が幅方向において一度にはじかれるのを防ぐことにより、騒音の防止を図るようにしている（例えば、特許文献２参照）。
【００１２】
【特許文献１】特開２００４−２６９０９８号公報
【特許文献２】特開２００１−１５８５４２号公報
【発明の開示】
【発明が解決しようとする課題】
【００１３】
しかしながら、このような従来の画像形成装置においては、例えば弾性部材を設けて騒音を低減するようにした場合、弾性部材の固定位置が傾く等のずれがあると、かえって摩擦音など他の騒音が発生する恐れがある。さらに、弾性部材を設ける位置を確保する必要があるため、シート搬送路の形成に制約が増えてしまうという問題があった。
【００１４】
また、パッド台の下流側の端縁に突設部を設けた場合、パッド台と下流側の案内部材との間に突設部用のスペースを設けなければならないという問題があった。さらには、給紙時にシートが斜行して搬送された場合、斜行方向が突設部の傾斜方向と同じ場合には効果が低減してしまうという問題があった。
【００１５】
そこで、本発明はこのような現状に鑑みなされたものであり、シートを搬送する際、シートのシート搬送路への衝突による騒音を低減することのできる画像形成装置を提供することを目的とするものである。
【課題を解決するための手段】
【００１６】
本発明は、シートを搬送する湾曲したシート搬送路を備えた画像形成装置において、前記シート搬送路の上流側に設けられ、搬送されるシートを前記シート搬送路に案内する案内部材を備え、前記案内部材のシート搬送方向下流側端部を、前記シート搬送路の搬送面との段差がシート搬送方向と直交する幅方向において徐々に小さくなるように構成したことを特徴とするものである。
【発明の効果】
【００１７】
本発明のように、案内部材のシート搬送方向下流側端部をシートが抜けるときに段差が小さい側のシート端部から徐々にシート搬送路に受け渡されるようにすることにより、シートを搬送する際、シートのシート搬送路への衝突による騒音を低減することができる。
【発明を実施するための最良の形態】
【００１８】
以下、本発明を実施するための最良の形態について、図面を参照して詳しく説明する。
【００１９】
図１は、本発明の第１の実施の形態に係る画像形成装置の概略構成を示す図である。
【００２０】
図１において、１００は画像形成装置であり、この画像形成装置１００は、画像入力部５と、画像出力部６とを備えている。
【００２１】
画像入力部５は、原稿画像を光により読み取り記録するための画像情報光電読取り機構を備えたものであり、原稿画像を読み取った後、読み取った画像情報に対して各種処理を施し、この後、画像信号として画像出力部６へ送るものである。このような画像入力部５の画像情報光電読取り機構は、原稿画像を画像出力部６に設けられた後述する画像形成部７の像担持体に投影、結像、露光する不図示の光学装置を備えている。
【００２２】
画像出力部６は、画像入力部５からの画像情報に応じて電子写真プロセス、静電記録プロセス、磁気記録プロセス等の画像形成プロセスにより感光体、誘電体、磁性体等の不図示の像担持体にトナー画像等の可転写の記録画像を形成する画像形成部７を備えている。
【００２３】
また、画像出力部６は、給紙部としての手差し給紙ユニット９及び給紙ユニット１０と、画像形成部７で形成された記録画像、例えばトナー像を給紙ユニット９，１０から給送されたシートＳに転写する画像記録機構７ａを備えている。この画像記録機構７ａは、転写ドラム１を備えると共に給紙ユニット９，１０から給送されたシートＳを転写ドラム１により転写部Ｗへ搬送することにより、シートＳにトナー像を転写する方式のものである。
【００２４】
画像出力部６は、画像形成部７の転写部ＷでシートＳに転写されたトナー像を定着処理する定着ユニット２と、画像形成装置１００の全動作を制御する制御部８等を備えている。
【００２５】
手差し給紙ユニット９は、シート積載部である手差し給紙台９ａと、手差し給紙台９ａに積載された手差しシートＳｈを給送する給送ローラ９ｂとを備えている。そして、手差しシートＳｈを手差し給紙台９ａに、装置内へ差し込むように積載すると、給送ローラ９ｂにより手差しシートＳｈが装置内へ引き込まれて給送される。
【００２６】
なお、Ｒは給紙ユニット９，１０から送り出されたシートＳを転写部Ｗへ搬送する湾曲したシート搬送路、６０は手差し給紙ユニット９から搬送された手差しシートＳｈをシート搬送路Ｒに進入させる進入部である。
【００２７】
給紙ユニット１０は、図２に示すように画像出力部６に内蔵され、シートＳを収納するシート積載部である給紙カセット１１０と、給送ローラ３１と、給送ローラ３１により送り出されたシートＳを一枚ずつ分離する分離パッド３３を備えている。給紙カセット１１０は、シートＳを積載する底板１１２と、底板１１２を上方に押し上げるバネ材１１１とを備え、バネ材１１１により底板１１２に積載されたシートＳの最上位シートＳａを給送ローラ３１に圧接させるようにしている。分離パッド３３はパッド台３２により支持されている。
【００２８】
なお、図１において、５０は分離パッド３３とシート搬送路Ｒとの間に設けられ、給紙カセット１１０から送り出されたシートＳをシート搬送路Ｒに向かわせる案内部材、４０はシート搬送路Ｒのシート搬送方向上流側に設けられたガイド板である。
【００２９】
次に、このような構成の画像形成装置１００における画像形成動作について説明する。
【００３０】
画像形成動作が開始されると、制御部８は、画像入力部５を作動させ、原稿画像を読み取り、読み取った画像情報を処理した後、画像出力部６に入力し、画像形成部７の不図示の像担持体上にトナー像を形成する。
【００３１】
また、制御部８は、プリント信号を発し、このプリント信号に応じて給紙カセット１１０内に多数枚積載され、下方よりバネ材１１１で底板１１２を介して給送ローラ３１に押圧されたシートＳの最上位シートＳａは、給送ローラ３１により送り出される。この最上位シートＳａは、分離パッド３３により分離された後、案内部材５０、ガイド板４０に沿ってシート搬送路Ｒに搬送される。なお、手差し給紙が指定されている場合には、プリント信号に応じて手差し給紙台９ａに積載された手差しシートＳｈが給送ローラ９ｂにより手差しシートＳｈが装置内に搬送される。
【００３２】
この後、最上位シートＳａ（或は手差しシートＳｈ）はシート搬送路Ｒに沿って撓みながら通過してレジストローラ３４に搬送される。さらに、このレジストローラ３４により斜行が補正された後、画像形成部７におけるトナー像作像タイミングに合わせて転写部Ｗに搬送される。
【００３３】
転写部Ｗに搬送された最上位シートＳａは、転写部Ｗにてトナー像が転写された後、定着ユニット２に搬送され、この定着ユニット２によって加熱加圧されることによりトナー像が半永久的に定着され、この後、排出される。
【００３４】
ところで、例えば給紙ユニット１０により給紙されたシートＳは、案内部材５０、ガイド板４０を通過し、シート搬送路Ｒに沿って撓みながら搬送されるが、この際、案内部材５０からシートＳが離れると、シート後端が弾かれて後端部がガイド板４０に衝突する。そして、このようにシートＳの後端部がガイド板４０に衝突するとき、騒音が発生する。
【００３５】
そこで、後端部がガイド板４０に衝突したときの騒音を低減するため、本実施の形態においては、図３のように案内部材５０のシート搬送方向下流側端を幅方向に傾斜させ、幅方向の厚さ（シート案内面５０ａの垂直方向の位置）を徐々に変えるようにしている。
【００３６】
即ち、案内部材５０の下流側端部の幅方向両端５１ａ，５１ｂにおける厚さを異ならせて、上流側端部との間で案内部材５０のシート案内面５０ａをねじるように繋ぐことにより形成している。そして、案内部材５０の下流側端部では、ガイド板４０との段差Ｄをシート搬送方向と直交する幅方向で徐々に小さくなるように厚さを幅方向で変えるように形成している。ここでは、図２で示すように段差をＤ２からＤ１に徐々に小さくしている。
【００３７】
このように案内部材５０のシート搬送方向下流側端の厚さを幅方向で変えるようにした場合、シートＳの後端が案内部材５０から外れるとき、シートＳの後端部はガイド板４０に対して段差が小さい側から徐々に当接する。すなわち、ガイド板４０にシートＳの後端部が激突する際、シートＳの後端部は、案内部材５０の一端５１ｂ側から先にガイド板４０と当接し、この後、案内部材５０の他端５１ａ側がガイド板４０に当接する。
【００３８】
つまり、シートＳの後端が案内部材５０からガイド板４０に受け渡されてシートＳの後端がガイド板４０に衝突する際に、幅方向でタイミングがずれて衝突するようになる。そして、このようにタイミングがずれて後端部がガイド板４０に衝突すると、ガイド板４０には一度に衝撃力が加わることがなくなることから、突発的な騒音が発生しなくなる。
【００３９】
このように、ガイド板４０のシート搬送方向下流側端部を、湾曲したシート搬送路Ｒに沿って撓みながら通過しているシートの後端をシート搬送方向に撓ませながら通過させるように構成することにより、シートを搬送する際、騒音を低減することができる。これにより、弾性部材などの部品を必要とせず、また、不要なスペースを作ることなく、シート後端がはじかれたときに発生する騒音を低減することができる。
【００４０】
なお、これまで説明した案内部材５０のシート案内面５０ａは、図３に示すようにねじれた形状（湾曲した形状）であったが、一般的に案内部材５０は樹脂材料で形成されている。そして、案内部材５０を樹脂材料にて形成した場合、シートが通過する際、シートとの間に静電気力が作用する。このため、案内部材５０のシートが摺動するシート案内面５０ａには、静電気力を低減させるためシート搬送方向に延びた複数のリブを配置することが多い。
【００４１】
そこで、このようなシート案内面５０ａを複数のリブを並設させて構成している案内部材５０においては、図４に示すように複数のリブ５２の高さを、幅方向において段階的に変化させるようにしている。また、リブ５２の高さを、シート搬送方向において滑らかに変化するようにしており、これによりシートＳをリブ上面に沿って滑らかに撓ませて移動させることができるようにしている。
【００４２】
このようにリブ５２のシート搬送方向下流側端における高さを、幅方向において段階的に変化させることにより、シートＳの後端がガイド板４０に衝突する際、段差部が小さい側から徐々に当接する。すなわち、シートの幅方向でタイミングがずれてガイド板４０に当接することになる。この結果、既述した効果を得ることができる。つまり、リブ５２の形状を変更するだけで、騒音を低減することが可能となる。
【００４３】
また、シート後端が案内部材５０から外れる際に、案内部材５０のシート搬送方向下流側端とシートとがこすれあい、摩擦音が発生することがある。そこで、このような摩擦音の発生を防ぐため、案内部材５０のシート搬送方向下流側端部に面取りを施すようにしている。即ち、図５のように案内部材５０のシート搬送方向下流側端部にＲ部５４を設けるようにしている。また、同様に、摩擦音の発生を防ぐため、リブ５２のシート搬送方向下流側端にも面取りを施すようにしている。
【００４４】
このように案内部材５０のシート搬送方向下流側端の幅方向における厚さ、あるいはシート搬送方向下流側端の幅方向におけるリブ５２の高さを変化させることにより、シート後端がガイド板４０に激突するときの騒音を数ｄＢ程度低減することができた。
【００４５】
ところで、既述したように分離パッド３３により分離された後、後端がパッド台３２からはずれると、この際、シート後端が案内部材５０と衝突するので、このようにシート後端が案内部材５０に衝突したときにも騒音を低減させる必要がある。
【００４６】
次に、このようにシート後端が案内部材５０に衝突した際の騒音を低減させるようにした本発明の第２の実施の形態について説明する。
【００４７】
図６は、本実施の形態に係る画像形成装置に設けられたパッド台３２の斜視図である。
【００４８】
図６において、３２ａはパッド台上面に設けられたシート搬送面であり、このシート搬送面３２ａにより、分離パッド３３によって分離されたシートを案内部材５０に案内するようにしている。
【００４９】
本実施の形態においては、このシート搬送面３２ａのシート搬送方向下流側端部に幅方向に傾斜した傾斜部３６を設け、シート搬送方向下流側端部の厚さが幅方向で異なるようにしている。このようにシート搬送面３２ａのシート搬送方向下流側端部の厚さが幅方向で異なるようにすることで、分離パッド３３により分離されたシートの後端が、後端パッド台３２を通過する際、徐々に撓まされるようになる。
【００５０】
これにより、シートＳの後端が案内部材５０に衝突する際、幅方向でタイミングがずれて衝突するようになる。そして、このようにタイミングがずれてシートＳの後端部が案内部材５０に衝突すると、案内部材５０には一度に衝撃力が加わることがなくなることから、突発的な騒音が発生しなくなる。
【００５１】
なお、このような傾斜部３６を既述した案内部材５０のシート搬送方向下流側端部に設けるようにしても良い。
【００５２】
また、パッド台３２の形状としては、図７の（ａ）及び（ｂ）のように、パッド台３２のシート搬送方向下流側端部に斜めにテーパを施し、傾斜面３５を設けるようにしても良い。このような傾斜面３５を設けることにより、シート後端は滑らかにねじられてゆくようになり、この結果、傾斜面３５とシートとの摩擦によってシートの曲げによるエネルギーが減少し、後端がはじかれる際に発生する音をさらに低減することができる。
【００５３】
ところで、手差し給紙ユニット９から給紙されたシートＳｈは、既述したように進入部６０を通過してシート搬送路Ｒに進入した後、転写部Ｗに搬送される。この進入部６０においても、手差し給紙ユニット９から給紙されたシートＳｈがシート搬送路Ｒに進入した後、シート後端がシート搬送路Ｒを構成するガイド部材に衝突する場合がある。
【００５４】
そこで、このようにシート後端がシート搬送路Ｒを構成するガイド部材に衝突したときにも騒音が発生しないようにする必要がある。
【００５５】
次に、このようにシート後端がシート搬送路Ｒを構成するガイド部材に衝突した際における騒音を低減させるようにした本発明の第３の実施の形態について説明する。
【００５６】
図８は、本実施の形態に係る手差し給紙ユニット９の構成を示す図であり、図８において、３５は給送ローラ９ｂ（図１参照）のシート搬送方向下流に設けられた搬送ローラ、３６はシート搬送路Ｒに設けられた搬送ローラである。
【００５７】
６２はシート搬送路Ｒの底面を構成するガイド部材、６１は搬送ローラ３５のシート搬送方向下流に設けられた案内部材である。この案内部材６１は、図９に示すように、シート搬送方向下流側端部６１ａを幅方向に傾斜させ、シート搬送方向下流側端部６１ａの幅方向の厚さを変えるようにしている。
【００５８】
このようにシート搬送方向下流側端部６１ａの厚さを幅方向で変化させることにより、ガイド板６１を通過する際、ガイド部材６２との間の段差が小さい側から徐々に当接する。この結果、シートＳとガイド部材６２とが瞬間的に当接することを防ぐことができ、シートＳを搬送する際、シートＳのガイド部材６２への衝突による騒音を低減させることができる。
【００５９】
なお、案内部材６１は樹脂材料で形成されており、案内部材６１を樹脂材料にて形成した場合、既述したようにシートが通過する際、シートとの間に静電気力が作用する。このような静電気力を低減させるため案内部材６１のシート搬送面６１ｂを構成するリブ６５が設けられていることが多い。
【００６０】
そこで、このような案内部材６１では、図１０の（ａ）及び（ｂ）に示すように、シート搬送面６１ｂに設けられているリブ６５のシート搬送方向下流側端部におけるシート搬送面６１ｂに対する高さを、幅方向において段階的に変化させるようにしている。例えば、幅方向の一端に位置するリブ６５ａの高さを一番低くし、幅方向の他端に位置するリブ６５ｂの高さが一番高くなるように形成している。
【００６１】
このようにリブ６５のシート搬送方向下流側端部の高さを、幅方向において段階的に変化させることにより、シートＳの後端がガイド部材６２に衝突する際、幅方向でタイミングがずれて衝突するようになる。この結果、シートＳとガイド部材６２とが瞬間的に当接することを防ぐことができ、騒音を低減させることができる。
【００６２】
次に、本発明の第４の実施の形態について説明する。
【００６３】
図１１は、本実施の形態に係る画像形成装置の進入部における案内部材６１の説明図であり、図１１の（ａ）は案内部材６１の上面図、（ｂ）は、（ａ）のＡ−Ａ’断面図、（ｃ）は、（ａ）のＢ−Ｂ’断面図である。なお、図１１において、上側の面が、搬送されてくるシートと接する面である。また、６６は、案内部板６１のシート搬送方向下流側端を示している。
【００６４】
本実施の形態において、案内部材６１は、図１１の（ｂ）に示すように、案内部材６１の端面６６側部分、即ち前端部分を幅方向の中心線を中心としてねじるようにしている。例えば、案内部材６１の一方の側端６８が、他方の側端６７よりも下方となる向きにねじるようにしている。
【００６５】
このように案内部材６１の前端部分をねじることにより、進入部６０を通過してシート搬送路Ｒに進入した後、シート後端の一方の側端６８側が、他方の側端６７側より先に既述した図８に示すガイド部材６２に激突するようになる。このため、シート後端が一度にガイド部材６２に激突することがなくなり、シート後端がガイド部材６２に激突する際の騒音を低減することができる。
【００６６】
なお、本実施の形態では、案内部材６１をねじる例を説明したが、既述した案内部材５０、パッド台３２についても、同様にシート搬送方向下流側端部を幅方向の中心線を中心としてねじることで、同様の効果を得ることができる。
【図面の簡単な説明】
【００６７】
【図１】本発明の第１の実施の形態に係る画像形成装置の概略構成を示す図。
【図２】上記画像形成装置に設けられた給紙ユニットの構成を示す図。
【図３】上記画像形成装置に設けられた案内部材の斜視図。
【図４】上記案内部材の他の構成を説明する第１の図。
【図５】上記案内部材の他の構成を説明する第２の図。
【図６】本発明の第２の実施の形態に係る画像形成装置に設けられたパッド台の斜視図。
【図７】上記パッド台の他の構成を説明する図。
【図８】本発明の第３の実施の形態に係る画像形成装置に設けられた手差し給紙部の構成を説明する図。
【図９】本発明の第３の実施の形態に係る画像形成装置に設けられた案内部材の斜視図。
【図１０】上記案内部材の他の構成を説明する図。
【図１１】本発明の第４の実施の形態に係る画像形成装置に設けられた案内部材の説明図。
【図１２】従来の画像形成装置のシート搬送時におけるシートの挙動を説明する図。
【符号の説明】
【００６８】
７      画像形成部
９      手差し給紙ユニット
９ａ    手差し給紙台
９ｂ    給送ローラ
１０    給紙ユニット
３１    給送ローラ
３２    パッド台
３２ａ  シート搬送面
３３    分離パッド
３５    傾斜面
３６    傾斜部
４０    ガイド板
５０    案内部材
５０ａ  シート案内面
５２    リブ
５４    Ｒ部
６０    進入部
６１    案内部材
６１ａ  シート搬送方向下流側端部
６２    ガイド部材
１００  画像形成装置
１１０  給紙カセット
Ｒ      シート搬送路
Ｓ      シート
Ｓｈ    手差しシート
【図１】
2008137792.tif 000003
【図２】
2008137792.tif 000004
【図３】
2008137792.tif 000005
【図４】
2008137792.tif 000006
【図５】
2008137792.tif 000007
【図６】
2008137792.tif 000008
【図７】
2008137792.tif 000009
【図８】
2008137792.tif 000010
【図９】
2008137792.tif 000011
【図１０】
2008137792.tif 000012
【図１１】
2008137792.tif 000013
【図１２】
2008137792.tif 000014